(57)【要約】【課題】単一の駆動手段で可動体に立体的な動作を行わせて興趣を向上し得る遊技機を提供する。【解決手段】装置本体に上下方向に移動自在に支持した第１可動部材に、第２可動部材が前後方向に傾動自在に配設される。装置本体に揺動自在に枢支した作動部材８９の上係合壁９６ｄに回転作動体８８の切替用被係合部８８ｂが係合した状態で、作動部材８９は保持位置に保持される。第１可動部材の第１軸体７２が、作動部材８９のガイド部９５に係合して第１可動部材が初期位置に保持される。切替用被係合部８８ｂと上係合壁９６ｄとの係合が解除されると、作動部材８９および第１可動部材が自重で移動する。第１下降位置に傾動した作動部材８９の作動壁９６ｅに切替用被係合部８８ｂが係合当接すると、作動部材８９が第１下降位置に傾動することで第２可動部材が第１姿勢から第２姿勢に移動する。【選択図】図４
2015173911.tif 000002
【特許請求の範囲】
【請求項１】
動作により演出を行う可動演出装置を備えた遊技機において、
前記可動演出装置は、
駆動手段と、
前記駆動手段の駆動に伴い作動する作動機構と、
前記作動機構に連繋され、該作動機構の作動に伴い初期位置と作動位置との間を往復移動する可動体とを備え、
前記可動体は、前記初期位置から作動位置に至る中間位置と作動位置との間を、該可動体が初期位置と中間位置との間を移動する移動面と交差する方向へ移動可能に構成され、
前記作動機構は、前記可動体を初期位置から中間位置へ移動させた後に、該可動体を前記移動面と交差する方向へ移動させるよう構成された
ことを特徴とする遊技機。
【請求項２】
前記可動体は、
前記作動機構の作動に伴い初期位置と中間位置との間を往復移動する第１可動部材と、
前記第１可動部材に設けられ、前記第１可動部材の移動面と交差する方向へ移動可能な第２可動部材とを備え、
前記作動機構は、前記第１可動部材を中間位置に移動させた後に、前記第２可動部材を前記第１可動部材の移動面と交差する方向へ移動させるよう構成された請求項１記載の遊技機。
【請求項３】
前記第１可動部材は、上方の初期位置および下方の中間位置の間で移動し得るよう構成され、
前記作動機構は、
前記駆動手段に連繋接続した切替手段と、
前記駆動手段の駆動に伴い切替手段との係合状態が切り替わる切替用係合部が設けられた作動部材と、
前記作動部材に設けられ、該作動部材が前記切替手段と切替用係合部との係合状態で保持位置に保持された状態で、前記第１可動部材に設けた第１係合部が摺動自在に係合して該第１可動部材を初期位置に保持するガイド部とを備え、
前記第１可動部材は、前記切替手段が切替用係合部に対して係合状態から非係合状態に切り替わることで作動部材が保持位置から下方の第１下降位置へ移動するのに伴い初期位置から中間位置に自重により移動するよう構成され、
前記作動部材には、前記切替用係合部に対して切替手段が非係合状態から係合状態に切り替わることで該作動部材が第１下降位置と該第１下降位置より下方の第２下降位置との間で移動する間に、前記第２可動部材に設けた第２係合部に係合して該第２可動部材を前記移動面との交差方向に移動する作動部が設けられ、
前記作動部材が前記切替手段の切替用係合部に対する係合状態で第１下降位置から保持位置に移動することで、前記ガイド部に第１係合部が案内されて第１可動部材が中間位置から初期位置へ持ち上げられるよう構成された請求項２記載の遊技機。
【請求項４】
遊技球が流下可能な遊技領域が前側に設けられる遊技盤を備え、
前記可動演出装置は、
前記遊技盤の盤面に平行な移動面に沿って前記第１可動部材が初期位置と中間位置との間を上下方向に移動可能に支持され、
前記第２可動部材は、前記第１可動部材の移動面と交差する前後方向に移動するように第１可動部材に配設され、
前記作動部材は支軸部を介して揺動自在に支持され、該作動部材の支軸部から離間する端部側に前記ガイド部が設けられると共に、該作動部材における支軸部での支持部位とガイド部との間に、前記切替用係合部が設けられた請求項３記載の遊技機。
【発明の詳細な説明】
【技術分野】
【０００１】
この発明は、可動体を複数方向に動作させる可動演出装置を備えた遊技機に関するものである。
【背景技術】
【０００２】
代表的な遊技機であるパチンコ機は、機内にセットされる遊技盤に画成した遊技領域の略中央位置に枠状の枠状装飾体(所謂センター役物)が配設されて、該枠状装飾体の窓口を介して複数の図柄を変動表示する液晶式やドラム式等の図柄表示装置を後方から臨ませると共に、該遊技盤における枠状装飾体の下方位置に、パチンコ球(遊技球)の入賞により図柄表示装置での図柄変動を開始させる始動入賞装置や大当り時等に開放する特別入賞装置を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記図柄表示装置での図柄変動演出に伴うリーチ演出等の各種の遊技演出がなされ、該図柄表示装置に図柄が所定の組合わせで停止することにより所謂大当りが発生し、前記特別入賞装置が開放して多数の賞球を獲得し得るよう構成される。
【０００３】
前記パチンコ機では、前記枠状装飾体等に、所要の動作を行う複数の可動体を備えた可動演出装置を配設し、前記図柄表示装置で行われる遊技演出に合わせて複数の可動体を動作させることにより、視覚的な演出効果を向上させ、遊技の興趣を高めるようにしたパチンコ機も知られている(例えば、特許文献１参照)。
【先行技術文献】
【特許文献】
【０００４】
【特許文献１】特開２００９−２３３２０９号公報
【発明の概要】
【発明が解決しようとする課題】
【０００５】
特許文献１に開示された可動演出装置は、異なる動きをする各可動体(回転装飾部材,回転体)毎に専用の駆動手段を備えており、各駆動手段を個別に駆動制御することで各々の可動体を動作させるよう構成されている。すなわち、異なる動きをする可動体を備える場合には、動きが異なる可動体と同数の駆動手段が必要となり、コストが嵩むと共に、複数の駆動手段の設置スペースを確保するために他の遊技部品の設置スペースを圧迫する難点が指摘される。そこで、１つの駆動手段で可動体に異なる動きをさせるよう構成した可動演出装置が提案されているが、従来の当該タイプの可動演出装置は、可動体を平面的に異なる方向に動作するだけであり、インパクトに欠けて高い演出効果が得られるものではなかった。
【０００６】
すなわち本発明は、従来の技術に係る遊技機に内在する前記課題に鑑み、これを好適に解決するべく提案されたものであって、単一の駆動手段で可動体に立体的な動作を行わせて興趣を向上し得る遊技機を提供することを目的とする。
【課題を解決するための手段】
【０００７】
前記課題を克服し、所期の目的を達成するため、本願の請求項１に係る発明は、
動作により演出を行う可動演出装置(44)を備えた遊技機において、
前記可動演出装置(44)は、
駆動手段(85)と、
前記駆動手段(85)の駆動に伴い作動する作動機構(86)と、
前記作動機構(86)に連繋され、該作動機構(86)の作動に伴い初期位置と作動位置との間を往復移動する可動体(45)とを備え、
前記可動体(45)は、前記初期位置から作動位置に至る中間位置と作動位置との間を、該可動体(45)が初期位置と中間位置との間を移動する移動面と交差する方向へ移動可能に構成され、
前記作動機構(86)は、前記可動体(45)を初期位置から中間位置へ移動させた後に、該可動体(45)を前記移動面と交差する方向へ移動させるよう構成されたことを要旨とする。
【０００８】
請求項１に係る発明によれば、単一の駆動手段によって可動体を立体的に動作させ得るよう構成したので、インパクトのある動作演出によって興趣を向上し得る。
【０００９】
請求項２に記載の発明では、前記可動体(45)は、
前記作動機構(86)の作動に伴い初期位置と中間位置との間を往復移動する第１可動部材(47)と、
前記第１可動部材(47)に設けられ、前記第１可動部材(47)の移動面と交差する方向へ移動可能な第２可動部材(48)とを備え、
前記作動機構(86)は、前記第１可動部材(47)を中間位置に移動させた後に、前記第２可動部材(48)を前記第１可動部材(47)の移動面と交差する方向へ移動させるよう構成されたことを要旨とする。
請求項２に係る発明によれば、第１可動部材を中間位置に移動した後に第２可動部材を移動するよう構成したので、メリハリのある動作演出ができ、興趣を向上し得る。
【００１０】
請求項３に記載の発明では、前記第１可動部材(47)は、上方の初期位置および下方の中間位置の間で移動し得るよう構成され、
前記作動機構(86)は、
前記駆動手段(85)に連繋接続した切替手段(88b)と、
前記駆動手段(85)の駆動に伴い切替手段(88b)との係合状態が切り替わる切替用係合部(96d,96e)が設けられた作動部材(89)と、
前記作動部材(89)に設けられ、該作動部材(89)が前記切替手段(88b)と切替用係合部(96d,96e)との係合状態で保持位置に保持された状態で、前記第１可動部材(47)に設けた第１係合部(72)が摺動自在に係合して該第１可動部材(47)を初期位置に保持するガイド部(95)とを備え、
前記第１可動部材(47)は、前記切替手段(88b)が切替用係合部(96d,96e)に対して係合状態から非係合状態に切り替わることで作動部材(89)が保持位置から下方の第１下降位置へ移動するのに伴い初期位置から中間位置に自重により移動するよう構成され、
前記作動部材(89)には、前記切替用係合部(96d,96e)に対して切替手段(88b)が非係合状態から係合状態に切り替わることで該作動部材(89)が第１下降位置と該第１下降位置より下方の第２下降位置との間で移動する間に、前記第２可動部材(48)に設けた第２係合部(101a)に係合して該第２可動部材(48)を前記移動面との交差方向に移動する作動部(89c)が設けられ、
前記作動部材(89)が前記切替手段(88b)の切替用係合部(96d,96e)に対する係合状態で第１下降位置から保持位置に移動することで、前記ガイド部(95)に第１係合部(72)が案内されて第１可動部材(47)が中間位置から初期位置へ持ち上げられるよう構成されたことを要旨とする。
請求項３に係る発明によれば、作動部材によって第１可動部材および第２可動部材を移動させ得るので、作動機構が簡単になる。
【００１１】
請求項４に記載の発明では、遊技球が流下可能な遊技領域(24)が前側に設けられる遊技盤(20)を備え、
前記可動演出装置(44)は、
前記遊技盤(20)の盤面に平行な移動面に沿って前記第１可動部材(47)が初期位置と中間位置との間を上下方向に移動可能に支持され、
前記第２可動部材(48)は、前記第１可動部材(47)の移動面と交差する前後方向に移動するように第１可動部材(47)に配設され、
前記作動部材(89)は支軸部(92)を介して揺動自在に支持され、該作動部材(89)の支軸部(92)から離間する端部側に前記ガイド部(95)が設けられると共に、該作動部材(89)における支軸部(92)での支持部位とガイド部(95)との間に、前記切替用係合部(96d,96e)が設けられたことを要旨とする。
請求項４に係る発明によれば、遊技盤の盤面に沿って落下した第１可動部材に配設された第２可動部材が前後方向に移動するので、遊技者に対してよりインパクトを与えることができ、興趣をより向上し得る。また、作動部材における支軸部での支持部とガイド部との間に切替用係合部を設けたので、切替手段との係合作用下に作動部材および可動体を持ち上げる際に駆動手段に加わる負荷を小さくし得る。
【発明の効果】
【００１２】
本発明に係る遊技機によれば、可動体を立体的に動作させて興趣を向上し得る。
【図面の簡単な説明】
【００１３】
【図１】実施例に係るパチンコ機を示す正面図である。
【図２】実施例に係る遊技盤の正面図であって、可動体が初期位置の状態で示している。
【図３】実施例に係る可動演出装置を可動体が初期位置の状態で示す概略斜視図である。
【図４】実施例に係る可動演出装置の装置本体からベース部材を取り外して作動機構を示す背面図であって、作動部材が保持位置の状態で示している。
【図５】実施例に係る設置部材を配設した遊技盤の要部縦断側面図であって、可動体が初期位置の状態で示している。
【図６】実施例に係る可動演出装置における装置本体と作動機構とを分解して前側から見た概略斜視図である。
【図７】実施例に係る可動演出装置における装置本体と作動機構とを分解して後側から見た概略斜視図である。
【図８】実施例に係る可動演出装置におけるガイド手段および第１可動部材を分解して前側から見た概略斜視図である。
【図９】実施例に係る可動演出装置におけるガイド手段および第１可動部材を分解して後側から見た概略斜視図である。
【図１０】実施例に係る可動演出装置における第２可動部材および該第２可動部材を動作させる機構部分を分解して前側から見た概略斜視図である。
【図１１】実施例に係る可動演出装置における第２可動部材および該第２可動部材を動作させる機構部分を分解して後側から見た概略斜視図である。
【図１２】実施例に係る遊技盤の正面図であって、可動体が中間位置の状態で示している。
【図１３】実施例に係る可動演出装置の装置本体からベース部材を取り外して作動機構を示す背面図であって、作動部材が第１下降位置の状態で示している。
【図１４】実施例に係る設置部材を配設した遊技盤の要部縦断側面図であって、可動体が中間位置の状態で示している。
【図１５】実施例に係る遊技盤の正面図であって、可動体が作動位置の状態で示している。
【図１６】実施例に係る可動演出装置を可動体が作動位置の状態で示す概略斜視図である。
【図１７】実施例に係る可動演出装置の装置本体からベース部材を取り外して作動機構を示す背面図であって、作動部材が第２下降位置の状態で示している。
【図１８】実施例に係る設置部材を配設した遊技盤の要部縦断側面図であって、可動体が作動位置の状態で示している。
【図１９】実施例に係る可動演出装置の装置本体からベース部材を取り外して作動機構を示す背面図であって、作動部材が第１下降位置から保持位置へ移動する途中の状態で示している。
【図２０】実施例に係る回転作動体の切替用被係合部と作動部材の作動壁との関係を示す説明図であって、(ａ)は作動部材が第１下降位置に位置する状態を示し、(ｂ)は切替用被係合部が作動壁に当接して作動部材を第１下降位置から第２下降位置に移動した状態を示している。
【図２１】実施例に係る第２可動部材と連繋部材との関係を示す概略斜視図であって、(ａ)は第２可動部材が第１姿勢の状態を示し、(ｂ)は第２可動部材の第２姿勢の状態を示している。
【発明を実施するための形態】
【００１４】
次に、本発明に係る遊技機につき、好適な実施例を挙げて、添付図面を参照して以下に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１５】
(パチンコ機１０について)
実施例に係るパチンコ機１０は、図１に示すように、矩形枠状に形成されて遊技店の図示しない設置枠台に固定される固定枠としての外枠１１の開口前面側に、後述する遊技盤２０(図２参照)を着脱可能に保持する本体枠としての中枠１２が開閉および着脱可能に組付けられると共に、遊技盤２０の後側に、図柄を変動表示可能な表示装置１７が着脱し得るよう配設されている。また、中枠１２の前面側には、遊技盤２０を透視可能に保護する透明板１３ａで前後に開口する窓口１３ｂを覆うよう構成された装飾枠としての前枠１３が開閉可能に組付けられると共に、該前枠１３の下方にパチンコ球を貯留する下球受け皿１５が開閉可能に組付けられる。なお、実施例では、前枠１３の下部位置に、パチンコ球を貯留する上球受け皿１４が一体的に組付けられており、前枠１３の開閉に合わせて上球受け皿１４も一体的に開閉するよう構成される。
【００１６】
前記前枠１３には、図１に示す如く、下球受け皿１５の右側方に、前記中枠１２に配設された打球発射装置(図示せず)を作動する操作ハンドル１６が設けられる。この操作ハンドル１６は、左回転方向に付勢された操作レバー１６ａを備えており、該操作レバー１６ａを右回転するよう遊技者が回動操作することで打球発射装置が作動されて、前記上球受け皿１４に貯留されたパチンコ球が前記遊技盤２０に向けて発射されるようになっている。なお、前記操作レバー１６ａの回動量に応じて前記打球発射装置によるパチンコ球の打球力が強弱変化するよう構成されており、遊技者が操作レバー１６ａを操作して回動量を調節することで、前記遊技盤２０に形成された遊技領域２４(後述)への打ち込み位置を変えられるようになっている。
【００１７】
(遊技盤２０について)
前記遊技盤２０は、アクリルやポリカーボネート等の合成樹脂材等からなる透明な平板状の板部材であって、該遊技盤２０の裏側に、前記表示装置１７や後述する各種の可動演出装置４４や発光演出装置４２等が配設される設置部材２２が配設されている。設置部材２２は、前記遊技盤２０の外郭形状より僅かに小さい形状に形成された略矩形状の背面板１８と、該背面板１８の外周縁部から前方に突出する画壁部１９とから前方に開口した箱状に形成されて(図５に一部のみ図示)、該画壁部１９の開口前端部を遊技盤２０の裏面に当接させた状態で、当該遊技盤２０と設置部材２２とがネジ止め固定される。そして、前記設置部材２２において前記遊技盤２０との間に画成される空間に、動作により演出を行う可動演出装置４４や発光により演出を行う発光演出装置４２等が設置されて、設置部材２２を基材とする１つのユニットとして扱い得るようになっている。また、設置部材２２の背面板１８には、後述する枠状装飾体２６の窓口２６ａと前後に整列する位置に、略矩形状の開口部２２ａが前後に開口するよう開設されて、背面板１８の裏面に配設した前記表示装置１７の表示部１７ａが、前記開口部２２ａおよび窓口２６ａを介して遊技盤２０の前側に臨むよう構成される。なお、遊技盤２０は、木材板の表面に各種絵柄等が描かれた合成樹脂シート等を貼付けて装飾したものであってもよい。
【００１８】
前記遊技盤２０の前面には、図２に示す如く、略円形状に湾曲形成した案内レール２３が配設されると共に、該案内レール２３により画成される略円形の領域内の下部側に該領域を上下に仕切る仕切部材２１が配設されており、該仕切部材２１の上側で案内レール２３により画成される遊技領域２４に、前記打球発射装置から発射されたパチンコ球が打ち出されることで遊技が行われるようになっている。また、遊技盤２０には、前後に貫通する装着口(図示せず)が適宜位置に開設されており、各装着口に対して各種の遊技部品が前側から取り付けられると共に、遊技領域２４の最下部位置には、該遊技領域２４に打ち出されたパチンコ球を排出するアウト口２５が開設されている。なお、前記装着口の形成数は、遊技盤２０に取り付けられる各種遊技部品の個数や配設位置等により必要に応じて適宜変更される。
【００１９】
実施例の前記遊技盤２０には、図２に示すように、前記案内レール２３で囲まれた遊技領域２４の略中央で開口する装着口に、前後に開口する窓口(開口部)２６ａが形成されたセンター役とも称される枠状装飾体２６が取り付けられ、該枠状装飾体２６の窓口２６ａを介して前記表示装置１７の表示部１７ａが遊技盤２０の前面側に臨むよう構成されている。なお、前記遊技盤２０には、前記遊技領域２４内に多数の遊技釘２７が設けられると共に、前記枠状装飾体２６の左側方に、遊技領域２４を流下するパチンコ球の接触に伴って回転する所謂「風車」とも称される回転案内部材２８が回転自在に支持されており、遊技領域２４を流下するパチンコ球が遊技釘２７や回転案内部材２８に接触することで、流下方向が不規則に変化するよう構成されている。
【００２０】
前記遊技盤２０における第１装着口(枠状装飾体２６)の下方に開設された第２装着口に、遊技領域２４を流下するパチンコ球が入賞可能な第１始動入賞口２９ａを有する始動入賞部２９が取り付けられている。また、遊技盤２０には、第２装着口の左上方に開設された第３装着口に、遊技領域２４を流下するパチンコ球が入賞可能な普通入賞口３０ａが設けられたサイド飾り３０が取り付けられる。更に、遊技盤２０における第２装着口の右上方の遊技領域２４に、上側から第４装着口、第５装着口、第６装着口および第７装着口が開設される。そして、第４装着口に、遊技領域２４を流下するパチンコ球が通過可能な球通過ゲート３１が取り付けられ、第５装着口に、遊技領域２４を流下するパチンコ球が入賞可能な普通入賞口３２ａが設けられた普通入賞口部材３２が取り付けられ、第６装着口に、遊技領域２４を流下するパチンコ球が入賞可能な第２始動入賞口３３ａを有する第２始動入賞装置３３が取り付けられ、第６装着口に、遊技領域２４を流下するパチンコ球が入賞可能な特別入賞口３４ａを有する特別入賞装置３４が取り付けられている。
【００２１】
(枠状装飾体２６について)
前記枠状装飾体２６は、前記第１装着口の内側に沿って延在する環状に形成された枠状基部３５(図５に一部図示)と、該枠状基部３５に設けられて前記遊技盤２０の前面より前方に突出し、前記遊技領域２４と表示装置１７の表示部１７ａを区切る庇状部３６と、該庇状部３６の後縁から外方に延出する薄板状の台板部３７とを備える(図２参照)。そして、前記枠状基部３５を第１装着口に挿入すると共に台板部３７を遊技盤２０の前面に当接した状態で、該台板部３７をネジ等の固定手段で遊技盤２０に固定することで、枠状装飾体２６が遊技盤２０に取り付けられて、該枠状装飾体２６の外側、具体的には庇状部３６と案内レール２３との間にパチンコ球が流下する遊技領域２４が画成されるようになっている。なお、枠状装飾体２６を遊技盤２０に取り付けた状態で、庇状部３６の後端縁から外方に延出する台板部３７が遊技盤２０の前面に沿って延在して、該台板部３７の前側をパチンコ球が通り得るようになっている。
【００２２】
前記枠状装飾体２６の庇状部３６は、枠状装飾体２６(台板部３７)の左側縁の略中間位置から上縁および右下縁に亘って連続して延在するよう設けられており、前記表示装置１７における表示部１７ａの前面側を横切ってパチンコ球が流下(落下)するのを規制している。また庇状部３６は、最上部位置から左右方向に下方傾斜するよう形成されて、遊技領域２４に打ち出されたパチンコ球が庇状部３６上で滞ることなく枠状装飾体２６の左側方または右側方へ誘導案内されるよう形成されている。すなわち、前記打球発射装置により遊技領域２４内に向けて発射されたパチンコ球は、到達位置に応じて枠状装飾体２６の左側の領域か、或いは右側の領域の何れかを流下するよう構成される。なお、実施例では、遊技盤２０における枠状装飾体２６の左側の領域の最下部および右側の領域の最下部に前記アウト口２５が夫々設けられており、各領域を最下部まで流下したパチンコ球を対応するアウト口２５を介して機裏側に排出するよう構成してある。
【００２３】
前記枠状装飾体２６には、図２に示す如く、窓口２６ａの下側(枠状装飾体２６の内周下縁部)に、ステージ３８が配設されると共に、窓口２６ａの左側に、前記遊技領域２４に開口して該遊技領域２４を流下するパチンコ球を枠状装飾体２６の内側(ステージ３８)に取り込む球導入部３９が設けられ、該球導入部３９がステージ３８に連通するよう構成される。そして、球導入部３９からステージ３８に通出されたパチンコ球は、ステージ３８上を左右に転動した後に、前記各入賞口２９ａ,３０ａが設けられている遊技領域２４に排出される。また、ステージ３８の後端縁には、左右方向の全長に亘って上側に向けて所定高さで立上がる透明壁４０が設けられ、ステージ３８上を転動するパチンコ球が表示装置１７の表示部１７ａ側に移動するのを該透明壁４０で防止している。
【００２４】
ここで、実施例では、前記枠状装飾体２６の枠状基部３５や庇状部３６の前側に、各種の意匠が施された複数の装飾部品４１が配設され、該装飾部品４１および透明壁４０によって前記表示装置１７の表示部１７ａを前側に臨ませる窓口２６ａが画成されている。
【００２５】
(始動入賞部２９について)
前記遊技盤２０に配設された前記始動入賞部２９の第１始動入賞口２９ａは、遊技領域２４内で常に上方へ開口する常時開放タイプの入賞口とされ、該第１始動入賞口２９ａは、前記遊技領域２４を流下するパチンコ球が常時一定の確率で入賞可能に構成される。また始動入賞部２９は、前記第１始動入賞口２９ａに入賞したパチンコ球を検出する入賞検出手段としての第１始動入賞検出センサ(図示せず)を備えている。第１始動入賞検出センサは、パチンコ機１０の裏側に配設された制御手段(図示せず)に配線接続されており、該第１始動入賞検出センサによるパチンコ球の検出を契機として制御手段が所定数の賞球を払い出す制御を行うようになっている。
【００２６】
(始動入賞装置３３について)
前記始動入賞装置３３の第２始動入賞口３３ａは、開閉部材３３ｂによって開閉するよう構成されており、駆動手段としての始動入賞ソレノイド(図示せず)の駆動に伴って開閉部材３３ｂが第２始動入賞口３３ａを閉鎖する閉鎖位置と開放する開放位置に変位するよう構成されている。すなわち、第２始動入賞口３３ａは、始動入賞ソレノイドを駆動することでパチンコ球の入賞確率を可変し得るよう構成される。なお、開閉部材３３ｂを閉鎖位置から開放位置に変位して第２始動入賞口３３ａを開放する開放条件および開閉部材３３ｂを開放位置から閉鎖位置に変位して第２始動入賞口３３ａを閉鎖する閉鎖条件としては、開閉部材３３ｂが開放位置に変位している継続時間(第２始動入賞口３３ａの開放時間)が挙げられるが、その他の条件を設定してもよい。
【００２７】
前記始動入賞装置３３は、前記第２始動入賞口３３ａに入賞したパチンコ球を検出する入賞検出手段としての第２始動入賞検出センサ(図示せず)を備えている。第２始動入賞検出センサは、前記制御手段に配線接続されており、該第２始動入賞検出センサによるパチンコ球の検出を契機として制御手段が所定数の賞球を払い出す制御を行うようになっている。
【００２８】
ここで、パチンコ機１０では、第１および第２始動入賞検出スイッチによるパチンコ球の検出に伴って各種情報(乱数等)が取得され、この取得した情報に基づいて制御手段によって特図当り抽選(大当り判定)が行われるよう構成されている。そして、特図当り抽選の結果に基づいて前記表示装置１７の表示部１７ａにおいて図柄変動演出が実行され、該表示装置１７の表示部１７ａでの図柄変動演出の結果、該表示部１７ａに所定の組み合わせ(例えば同一飾図の３つ揃い等)で飾図が確定停止表示されることで、遊技者に有利な大当り遊技状態が付与され、大当り遊技状態の発生に伴って前記特別入賞装置３４を所定の開放条件で開放する大当り遊技(当り遊技)が行われて、遊技者が賞球を獲得し得る機会が与えられるよう構成されている。
【００２９】
(特別入賞装置３４について)
前記特別入賞装置３４の特別入賞口３４ａは、開閉体(開閉部材)３４ｂによって開閉されるよう構成される。開閉体３４ｂは、駆動手段としての特別入賞ソレノイド(図示せず)に連繋されて、該特別入賞ソレノイドを駆動することで、開閉体３４ｂが特別入賞口３４ａへのパチンコ球の入賞を阻止する閉位置と該特別入賞口３４ａへのパチンコ球の入賞を許容する開位置との間を進退移動するよう構成される。また特別入賞装置３４には、前記特別入賞口３４ａに入賞したパチンコ球を検出する特別入賞検出手段としての特別入賞検出センサ(図示せず)が配設されている。特別入賞検出センサは、前記制御手段に配線接続されており、特別入賞検出センサによるパチンコ球の検出を契機として制御手段が所定数の賞球を払い出す制御を行うようになっている。なお、特別入賞装置３４は、開閉体３４ｂにより特別入賞口３４ａを常には閉鎖(入賞不能状態と)するよう構成され、前記大当り遊技(当り遊技)の発生に伴って特別入賞口３４ａを開放(入賞可能状態と)するよう構成されている。
【００３０】
(球通過ゲート３１について)
前記球通過ゲート３１は、該ゲート３１を通過するパチンコ球を検出する球通過検出センサ(図示せず)が設けられている。この球通過検出センサは、前記制御手段に配線接続されており、該球通過検出センサから制御手段への球検出信号の入力に伴って各種情報(乱数等)が取得され、この取得した情報に基づいて制御手段によって普図当り抽選が行われ、該普図当り抽選の結果に応じて前記始動入賞装置３３の始動入賞ソレノイドが駆動制御されて開閉部材３３ｂが開閉動作するようになっている。
【００３１】
(普通入賞口３０ａ,３２ａについて)
前記サイド飾り３０には、図２に示す如く、２つの普通入賞口３０ａが設けられている。これに対し、前記普通入賞部材３２には、前記球通過ゲート３１の下方に１つの普通入賞口３２ａが設けられている。普通入賞口３０ａ,３２ａは、前記遊技領域２４内で常に上方へ開口する常時開放タイプの入賞口とされ、遊技領域２４を流下するパチンコ球が常時一定の確率で入賞可能に構成されている。パチンコ機１０は、普通入賞口３０ａ,３２ａに入賞したパチンコ球を検出する普通入賞検出手段としての普通入賞検出センサ(図示せず)を備えている。普通入賞検出センサは、前記制御手段に配線接続されており、普通入賞検出センサによるパチンコ球の検出を契機として制御手段が所定数の賞球を払い出す制御を行うようになっている。
【００３２】
(装飾可動体４３について)
前記設置部材２２には、図５に示す如く、前記開口部２２ａより上側位置に、前記枠状装飾体２６の窓口２６ａの上縁を画成する前記装飾部品４１の後側に重なって発光演出装置４２が配設されている。この発光演出装置４２は、発光基板の前面にＬＥＤ等の複数の発光体を実装して構成され、該発光体を発光することで前側に位置する装飾部品４１を明輝させ得るようになっている。また、設置部材２２には、図示しない駆動機構によって前記発光演出装置４２の後側に重なる第１位置と、前記枠状装飾体２６における窓口２６ａの中央側の第２位置との間を往復移動される装飾可動体４３が配設されている。なお、装飾可動体４３は、本体内部に発光体を備えると共に、本体前面にはパチンコ機１０のモチーフとなる意匠が施されており、第２位置に移動した装飾可動体４３が窓口２６ａから前側に露出した状態において発光体を発光して意匠を明輝する発光演出を行い得るよう構成されている。
【００３３】
(可動演出装置４４について)
前記設置部材２２の背面板１８には、前記遊技盤２０に対して変位可能な可動体４５を備えて、該可動体４５を動作することで演出を行う可動演出装置４４が配設される。可動演出装置４４は、前記可動体４５を動作させる駆動機構４６を備え、該駆動機構４６によって可動体４５は、初期位置(図５)と作動位置(図１８)との間を往復移動するよう構成されると共に、該可動体４５は、初期位置から作動位置に至る中間位置までの移動方向と、中間位置から作動位置までの移動方向とが異なるよう構成される。
【００３４】
前記可動体４５は、図３に示す如く、駆動機構４６の駆動に伴い初期位置と中間位置との間を往復移動する第１可動部材４７と、該第１可動部材４７に設けられ、第１可動部材４７と共に初期位置と中間位置との間を移動すると共に該第１可動部材４７が初期位置と中間位置との間を移動する移動面と交差する方向へ移動可能な第２可動部材４８とを備えている。具体的には、第１可動部材４７は、駆動機構４６によって前記枠状装飾体２６における窓口２６ａの上縁部側の初期位置と、該初期位置より下方で窓口中央側の中間位置との間を上下方向に往復移動されるよう構成される。また、第２可動部材４８は、第１可動部材４７の前側に配設されて、駆動機構４６によって第１可動部材４７が移動する移動面に略沿う第１姿勢と該移動面と交差する第２姿勢とに変化し得るように移動される。実施例では、第１可動部材４７が中間位置に位置する状態で、第２可動部材４８が第２姿勢に移動した位置が可動体４５の作動位置となっている。すなわち、可動体４５は、第１可動部材４７と第２可動部材４８とが一体で初期位置と中間位置との間を移動する第１動作と、中間位置において第２可動部材４８のみが中間位置と作動位置との間を移動する第２動作とを行い得るよう構成してある。
【００３５】
前記第１可動部材４７の初期位置では、図５に示す如く、可動体４５が前記第１位置の装飾可動体４３の後側に重なって前側から視認されない状態となり、第１可動部材４７を中間位置(図１２,図１４)に移動することで、可動体４５は窓口２６ａに臨んで前側から視認可能な状態となるよう構成される。また、前記第２可動部材４８は、第１可動部材４７の中間位置において第１姿勢から第２姿勢に姿勢変化することで、図１５,図１６,図１８に示す如く、該第２可動部材４８の自由端部が第１位置の装飾可動体４３より前側に延出するようになっている。なお、第１可動部材４７の中間位置は、第１位置の装飾可動体４３に対して第１姿勢と第２姿勢との間を移動する第２可動部材４８が干渉しない位置に設定される。
【００３６】
(装置本体４９について)
前記可動演出装置４４は、図５,図６,図７に示す如く、前記設置部材２２の背面板１８側に位置するベース部材５０と、該ベース部材５０の前側に配設されるカバー部材５１とから装置本体４９が構成され、該装置本体４９が背面板１８にネジ止め固定されている。カバー部材５１は、ベース部材５０と外形形状が略同じ横長矩形状の板部と、該板部の外周縁から後側に突出する側壁とからトレー状に形成された部材であって、該側壁の後端をベース部材５０の前面に当接した状態で該カバー部材５１をベース部材５０に取り付けることで、両部材５０,５１の間に作動機構収容空間５２が画成されるように構成される。そして、この作動機構収容空間５２に、後述する作動機構８６が収容されるようになっている。
【００３７】
(第１可動部材４７について)
前記第１可動部材４７は、図８,図９に示す如く、該第１可動部材４７の往復移動方向(上下方向)と交差する左右方向に長尺な基体５３と、該基体５３の前端に配設された意匠体５４と、基体５３と意匠体５４との間に配設された複数の発光基板５５,５６,５６とを備える。基体５３は、横長矩形状の板部と、該板部の外周縁から前側に突出する側壁とからトレー状に形成された部材であって、該側壁の前端に意匠体５４を取り付けることで基体５３と意匠体５４との間に画成される収容空間に、前記発光基板５５,５６,５６が収容されている。
【００３８】
前記意匠体５４は光透過性の部材で形成されると共に、該部材の表面に非光透過性のメッキ等を施すことで、左右方向の中央部に中央意匠部５４ａが形成されている。この中央意匠部５４ａは、実施例では前記第２可動部材４８の動作に関連する擬音を表わす文字(「ドーン」)が表示されている。また、意匠体５４には、図８に示す如く、中央意匠部５４ａを挟む左右両側に、前後方向に貫通する取付孔５４ｂが夫々設けられており、各取付孔５４ｂに後側から意匠部品５７が嵌め込まれている。意匠部品５７は光透過性の部材で形成されると共に、取付孔５４ｂから前側に臨む前面に、非光透過性のメッキ等を施すことで所要の意匠を表わした意匠部５７ａが設けられている。なお、図面では意匠部品５７の意匠部５７ａが表わす意匠については省略している。
【００３９】
前記第１可動部材４７の収容空間には、前記意匠体５４における中央意匠部５４ａの後側に位置するように中央発光基板５５が収容されると共に、前記各意匠部品５７の後側に位置するように各側部発光基板５６が収容されている。各発光基板５５,５６,５６の前面には、ＬＥＤ等の発光体５５ａ,５６ａ,５６ａが複数実装されており、各発光体５５ａ,５６ａ,５６ａを発光することで対応する意匠体５４の中央意匠部５４ａおよび意匠部品５７,５７の意匠部５７ａ,５７ａを明輝し得るよう構成される。また、各側部発光基板５６と対応する意匠部品５７との間には、光透過性で光拡散処理が施された光拡散部材５８が配設されており、前記発光体５６ａからの光を該光拡散部材５８によって広範囲に拡散することで意匠部品５７における意匠部５７ａの全体を明輝させ得るようになっている。
【００４０】
前記意匠体５４には、図１８等に示す如く、前記中央意匠部５４ａの下側で、前記第２可動部材４８が第２姿勢となった状態で該第２可動部材４８の後端(後述する導光体８３の後端)に対向する位置に、前後方向に貫通する導光孔５４ｃが穿設されている。また、前記中央発光基板５５には、該導光孔５４ｃに対応する位置に特定発光体５５ｂが配置されており、該特定発光体５５ｂからの光が導光孔５４ｃを通って第２可動部材４８の導光体８３に入射可能に構成されている。
【００４１】
(第１ガイド手段５９について)
次に、前記装置本体４９に対する第１可動部材４７の支持構造について説明する。装置本体４９の前側に、左右方向に離間する第１ガイド手段５９および第２ガイド手段６３を介して前記第１可動部材４７が上下方向に平行移動するように支持されている。装置本体４９の前記カバー部材５１における左右方向の中央より右側に偏った位置に配置される第１ガイド手段５９は、該カバー部材５１の前面に配設されて上下方向に延在する第１固定レール６０と、第１可動部材４７(基体５３)の裏面に配設されて上下方向に延在する第２固定レール６１と、両固定レール６０,６１の間に配置されて各固定レール６０,６１に対して相対的に移動自在に支持された第１スライド体６２とから構成される。第１スライド体６２は、第１固定レール６０に対して所定長さ範囲で上下方向に移動自在に支持されると共に、第２固定レール６１に対しても所定長さ範囲で上下方向に移動自在に支持されており、第１可動部材４７は、第１固定レール６０に対して第１スライド体６２が移動する長さと、該第１スライド体６２に対して第２固定レール６１が移動する長さとを足した長さの範囲で上下方向に移動可能に構成されている。すなわち、第１固定レール６０,第１スライド体６２および第２固定レール６１の略全体が前後方向に重なった第１ガイド手段５９の最も縮まった状態で、第１可動部材４７(可動体４５)が装置本体４９の前側に重なった初期位置に位置し、第１固定レール６０,第１スライド体６２および第２固定レール６１が相対的に移動して上下方向に連なった第１ガイド手段５９の最も伸びた状態で、第１可動部材４７(可動体４５)が中間位置に位置するようになっている。
【００４２】
前記第１ガイド手段５９は、第１可動部材４７が初期位置から中間位置へ移動する初期には第１スライド体６２が第２固定レール６１と一体的に移動し、中間位置に至る前に第１固定レール６０に設けた図示しない第１ストッパに第１スライド体６２が当接することで該第１スライド体６２の移動が規制された後は、第１スライド体６２に対して第２固定レール６１(第１可動部材４７)が単独で移動する。そして、第１スライド体６２に設けた図示しない第２ストッパに第２固定レール６１が当接することで該第２固定レール６１の移動が規制された位置が、第１可動部材４７の中間位置となる。また、第１可動部材４７が中間位置から初期位置へ移動する初期には第１スライド体６２に対して第２固定レール６１(第１可動部材４７)が単独で移動し、初期位置に至る前に第１スライド体６２に設けた図示しない当接部に第２固定レール６１が当接することで該第２固定レール６１が第１スライド体６２と一体的に移動(上方移動)して、第１可動部材４７の中間位置に至るように構成される。なお、第１ガイド手段５９は、第１スライド体６２と各固定レール６０,６１とに当接して転動する転動体として金属球を用いた所謂ボール軸受構造が採用され、第１可動部材４７の円滑な移動を図り得るよう構成してある。
【００４３】
(第２ガイド手段６３について)
前記カバー部材５１における左右方向の中央より左側に偏った位置に配置される前記第２ガイド手段６３は、該カバー部材５１および第１可動部材４７の夫々に対して相互に上下方向に移動自在に支持された第２スライド体６４を備える。すなわち、図８,図９に示す如く、カバー部材５１には、前後方向に貫通して上下方向に延在する一対の第１ガイド孔５１ａ,５１ａが左右方向に離間して平行に形成されると共に、第２スライド体６４の裏面上部位置に、各第１ガイド孔５１ａと対応する位置で後方に突出する第１ガイドボス６４ａが設けられており、各第１ガイドボス６４ａを対応する第１ガイド孔５１ａに夫々移動自在に挿通することで、カバー部材５１に対して第２スライド体６４が上下方向に移動自在に支持される。実施例では、第１ガイドボス６４ａに摺動性に優れた材料(摩擦係数が小さい材料)から形成された環状体６５が外嵌されており、該環状体６５が第１ガイド孔５１ａ内に摺動自在に臨んでいる。また実施例では、各第１ガイド孔５１ａに対応して上下に離間する２つの第１ガイドボス６４ａ,６４ａが第２スライド体６４に突設されており、各第１ガイド孔５１ａに対して上下に離間する２つの第１ガイドボス６４ａ,６４ａを挿通することで、第２スライド体６４が移動する際に傾くのを抑制し得るようになっている。なお、第１ガイド孔５１ａに前側から挿通されて該第１ガイド孔５１ａから後方に突出する２つの第１ガイドボス６４ａ,６４ａの後端に、該第１ガイドボス６４ａ,６４ａが第１ガイド孔５１ａから抜けるのを防ぐ抜け止め部材６６が取り付けられている(図４参照)。
【００４４】
前記第２スライド体６４には、図８,図９に示す如く、左右方向の中央に、前後方向に貫通する第２ガイド孔６４ｂが上下方向に延在するように形成されている。また、第１可動部材４７(基体５３)の裏面には、矩形状の規制突部６７が突設されると共に、該規制突部６７から後方に突出する複数(実施例では２つ)の第２ガイドボス６７ａが上下方向に離間して設けられている。そして、２つの第２ガイドボス６７ａ,６７ａを第２スライド体６４の第２ガイド孔６４ｂに移動自在に挿通することで、第２スライド体６４および第１可動部材４７は上下方向に相対的に移動可能に構成される。なお、第２ガイド孔６４ｂに前側から挿通されて該第２ガイド孔６４ｂから後方に突出する２つの第２ガイドボス６７ａ,６７ａの後端に、該第２ガイドボス６７ａ,６７ａが第２ガイド孔６４ｂから抜けるのを防ぐ抜け止め部材６６が取り付けられている(図１３参照)。第２ガイド孔６４ｂに上下に離間する２つの第２ガイドボス６７ａ,６７ａを挿通することで、第２スライド体６４に対して第１可動部材４７が移動する際に傾くのを抑制し得るようになっている。
【００４５】
前記第２スライド体６４には、図８,図９に示す如く、左右両側面の上端部から外側方に延出する延出部６４ｃ,６４ｃが設けられている。また、第２スライド体６４の前面には、左右両側に金属板からなる第１補強材６８が配設されている。第１補強材６８には、図５に示す如く、対応する延出部６４ｃの下面に当接する補強片６８ａが後方に延出するように設けられている。また、前記カバー部材５１の前面には、図８に示す如く、一対の第１ガイド孔５１ａ,５１ａを挟む左右両側に取付受部５１ｂが夫々設けられると共に、各取付受部５１ｂにはゴム等からなる第１緩衝部材６９が配設されている。そして、前記可動体４５(第１可動部材４７)が初期位置から中間位置に落下する途中において、該可動体４５(第１可動部材４７)と共に落下する第２スライド体６４の両延出部６４ｃ,６４ｃが補強片６８ａ,６８ａを介してカバー部材５１に配設された第１緩衝部材６９,６９の上面に当接することで、該第２スライド体６４の下方移動が規制されるよう構成してある(図１４参照)。第１緩衝部材６９は、第２スライド体６４の下方移動(落下)を規制するストッパとして機能すると共に、自重落下する可動体４５(第１可動部材４７)が中間位置で止まる際に加わる衝撃を緩和するべく機能する。
【００４６】
前記第２スライド体６４の前面には、図８に示す如く、前記第２ガイド孔６４ｂの下端より下側に、前方に延出する受部６４ｄが設けられると共に、該受部６４ｄの上側に第２緩衝部材７０が配設されている。また、前記第１可動部材４７の規制突部６７には、下面および左右両側面を覆うように凹状に形成された金属板からなる第２補強材７１が配設されている。そして、前記第１緩衝部材６９,６９の上面に補強片６８ａ,６８ａを介して延出部６４ｃ,６４ｃが当接して下方移動(落下)が規制された第２スライド体６４に対して可動体４５(第１可動部材４７)が下方移動(落下)して中間位置に至った際に、該規制突部６７が第２補強材７１を介して第２緩衝部材７０の上面に当接することで、該可動体４５(第１可動部材４７)の下方移動(落下)が規制されるよう構成してある(図１４参照)。第２緩衝部材７０は、可動体４５(第１可動部材４７)の下方移動(落下)を規制するストッパとして機能すると共に、自重落下する可動体４５(第１可動部材４７)が中間位置で止まる際に加わる衝撃を緩和するべく機能する。
【００４７】
前記第２ガイド手段６３においては、可動体４５(第１可動部材４７)が初期位置から中間位置へ移動する初期には第２スライド体６４が可動体４５(第１可動部材４７)と一体的に移動し、中間位置に至る前に第２スライド体６４の延出部６４ｃ,６４ｃが補強片６８ａ,６８ａを介して第１緩衝部材６９,６９が当接することで該第２スライド体６４の移動が規制された後は、第２スライド体６４に対して可動体４５(第１可動部材４７)が単独で移動する。そして、第２スライド体６４に設けた第２緩衝部材７０に規制突部６７が第２補強材７１を介して当接することで該可動体４５(第１可動部材４７)の移動が規制された位置が中間位置となる。また、可動体４５(第１可動部材４７)が中間位置から初期位置へ移動する初期には第２スライド体６４に対して可動体４５(第１可動部材４７)が単独で移動し、初期位置に至る前に第２スライド体６４に設けた上側の第２ガイドボス６７ａが第２ガイド孔６４ｂの上端を画成する壁に下方から当接することで該可動体４５(第１可動部材４７)が第２スライド体６４と一体的に移動(上方移動)して初期位置に至るように構成される。なお、第１ガイド手段５９および第２ガイド手段６３において、前記カバー部材５１(第１固定レール６０)に対してスライド体６２,６４の下方移動が規制される位置、該スライド体６２,６４に対して可動体４５(第１可動部材４７,第２固定レール６１)の下方移動が規制される位置、およびスライド体６２,６４と可動体４５(第１可動部材４７,第２固定レール６１)とが一体的に上方移動を開始する位置は同じとなるよう設定されており、可動体４５(第１可動部材４７)は左右方向に離間して配置される一対のガイド手段５９,６３によって初期位置と中間位置との間を平行移動するよう構成される。
【００４８】
ここで、前記第１ガイド手段５９および第２ガイド手段６３は、前記遊技盤２０の盤面に対して平行に延在するように設けられており、両ガイド手段５９,６３によって装置本体４９に対して移動自在に支持された可動体４５(第１可動部材４７)は、該遊技盤２０の盤面に平行な移動面に沿って初期位置と中間位置との間を平行な状態を保ったまま移動するよう構成される。また、ガイド手段５９,６３として、装置本体４９および可動体４５(第１可動部材４７)に対して相対的に移動するスライド体６２,６４を設けているので、可動体４５(第１可動部材４７)と装置本体４９とが前後に重なった初期位置と、該可動体４５(第１可動部材４７)が下方移動した中間位置との間の距離をスライド体６２,６４によって長く設定することができるようになっている。
【００４９】
前記第１可動部材４７の基体５３には、長手方向の略中央において後方に向けて第１係合部７２が突出するように設けられており、該第１係合部７２が、後述する作動部材８９に設けたガイド用係合孔９４に摺動自在に挿通支持される。この第１係合部７２は、前記基体５３に突設した筒受部７３に設けられて後方に突出する軸体であって、該第１係合部７２が、ガイド用係合孔９４に摺動自在に挿通されるようになっている。実施例では、第１可動部材４７に設けられた第１係合部としての軸体について、第１軸体７２と指称するものとする。また実施例では、第１軸体７２に鍔付きスリーブ７４が外嵌されており、第１軸体７２は鍔付きスリーブ７４のスリーブ部を介してガイド用係合孔９４に対して摺動自在に構成してある。なお、第１軸体７２には、鍔付きスリーブ７４より前側に、ガイド用係合孔９４より大径のリング体７５が外嵌されており、該リング体７５と鍔付きスリーブ７４の鍔部とによって作動部材８９を前後から挟むことで、第１軸体７２(鍔付きスリーブ７４)のガイド用係合孔９４からの抜け止めが図られている。図６,図７に示す如く、前記装置本体４９のカバー部材５１には、第１可動部材４７から後方に突出する第１軸体７２の上下移動を許容する前後方向に貫通する切欠部５１ｃが、下方に開放するように設けられている。また、装置本体４９のベース部材５０に、カバー部材５１の切欠部５１ｃと対応する位置において前後方向に貫通すると共に下方に開放する切欠部５０ａが形成されており、前記作動部材８９の後側に突出する前記第１軸体７２の突出端がベース部材５０と干渉するのを防ぐようになっている。
【００５０】
(第２可動部材４８について)
前記第１可動部材４７を構成する前記意匠体５４の前面に、前記第２可動部材４８が移動自在に配設されている。この第２可動部材４８は、図１０,図１１に示す如く、支持体７６と、該支持体７６を挟んで組み付けられる第１半体７７および第２半体７８を備え、該第２可動部材４８は、実施例では「指」を模した形状に形成されている。支持体７６には左右方向に延在する筒状部７６ａが設けられると共に、該筒状部７６ａの左右両端部には動作支軸７９が外方に延出する状態で夫々配設されている。また、前記意匠体５４における前記中央意匠部５４ａの下側に、左右方向に離間して前方および対向側に開放する受溝８０ａが形成された一対の軸受部８０,８０が設けられており、前記支持体７６の両動作支軸７９,７９を軸受部８０,８０に回動自在に支持することで、第２可動部材４８は、左右方向に延在する動作支軸７９,７９の軸線を中心として、前記第１可動部材４７の前記移動面と交差する前後方向に揺動可能に支持される。実施例では、第１可動部材４７に対して第２可動部材４８は、第１可動部材４７に対する枢支部側である基端部から動作支軸７９の径方向に延出する自由端部を上方に向けた第１姿勢(図５参照)と、該自由端部を前方に向けた第２姿勢(図１８参照)との間を揺動可能に構成されている。なお、意匠体５４には、左右の軸受部８０,８０の前側開口を前側から塞いで動作支軸７９,７９の脱落を防ぐ前側意匠部品８１が着脱自在に配設されている。この前側意匠部品８１は、第２可動部材４８で表される「指」に関連する「手」を模した形状に形成されており、第２可動部材４８および前側意匠部材８１によって、第２可動部材４８の第１姿勢では手の指を上向き立てた意匠を形成すると共に、第２可動部材４８の第２姿勢では指で前方を指し示す意匠を形成するようになっている(図３,図１６参照)。また、第２可動部材４８の第１姿勢では、前記中央意匠部５４ａが該第２可動部材４８によって部分的に隠され、第２可動部材４８を第２姿勢に移動することで、中央意匠部５４ａの全体が前側から視認可能に露出するよう構成される。
【００５１】
前記支持体７６から右方に延出する筒状部７６ａに、径方向(実施例では第１姿勢において後方)に延出するレバー部８２が設けられると共に、該レバー部８２の延出端に、動作支軸７９と平行に延在する作動片８２ａが右方に向けて突設されている。そして、作動片８２ａに後述する連繋部材９７が連繋されて、該連繋部材９７の作動に伴って第２可動部材４８が第１姿勢と第２姿勢との間を移動するよう構成される(図２１参照)。
【００５２】
前記第２可動部材４８の内部には、基端部から自由端部までの間に亘って延在する導光体８３が配設されている。この導光体８３の長手方向の一端(第２可動部材４８の第２姿勢での後端)は、第２可動部材４８の基端部で外方に露出すると共に、該導光体８３の長手方向の他端(第２可動部材４８の第２姿勢での前端)は、第２可動部材４８の自由端部外方で露出する発光部８４に接続されている。そして、第２可動部材４８の第２姿勢では、図１８に示す如く、導光体８３の後端が意匠体５４に設けた前記導光孔５４ｃの前側に位置し、前記中央発光基板５５に設けた特定発光体５５ｂからの光を導光体８３を介して発光部８４に導びくことができるよう構成してある。
【００５３】
(駆動機構４６について)
前記装置本体４９に、可動体４５(可動部材４７,４８)を動作する前記駆動機構４６が配設されている。この駆動機構４６は、図６,図７に示す如く、駆動手段としての駆動モータ８５と、該駆動モータ８５と可動体４５(可動部材４７,４８)とを連繋し、該駆動モータ８５の駆動に伴い作動して可動体４５(可動部材４７,４８)を動作させる作動機構８６とを備える。駆動モータ８５は、前記カバー部材５１の右端部前面に後向きに配設されて、該モータ８５の出力軸を前記作動機構収容空間５２内に臨ませている。カバー部材５１には、作動機構収容空間５２に収容された状態で作動機構８６が配設される。この作動機構８６は、駆動モータ８５の出力軸に一体回転するよう連結された駆動歯車８７に連繋接続された回転作動体８８と、該回転作動体８８および前記可動体４５(可動部材４７,４８)に連繋する作動部材８９とを備える。
【００５４】
前記作動機構８６の構成を具体的に説明すると、前記カバー部材５１の裏面における右端部に、前記駆動モータ８５の出力軸に連結された駆動歯車８７が配置され、該駆動歯車８７の左側(図４では右側)には、該駆動歯車８７に噛合する従動歯車９０がカバー部材５１に回転自在に枢支されている。また、従動歯車９０を挟んで駆動歯車８７と反対側の位置に、前記回転作動体８８がカバー部材５１に回転自在に枢支されている。この回転作動体８８は円盤状の部材であって、外周面の前部側に形成された歯車部８８ａが前記従動歯車９０に噛合しており、駆動モータ８５を所定方向に回転駆動することで、従動歯車９０を介して回転作動体８８が一定方向に回転するよう構成される。回転作動体８８には、回転中心から径方向に離間した位置に、後方に向けて突出する切替手段としての切替用被係合部８８ｂが設けられており、該切替用被係合部８８ｂが前記作動部材８９に設けた後述する切替用係合部９６ｄ,９６ｅに係脱自在に係合するよう構成される(図４,図１３,図１７参照)。また、回転作動体８８には、径方向の外方に延出する検出片８８ｃが設けられており、該検出片８８ｃは、前記ベース部材５０に設けた検出手段９１によって検出可能に構成されている。検出手段９１は、前記制御手段に配線接続されており、該検出手段９１からの検出信号の入力に基づいて制御手段が前記駆動モータ８５を駆動制御し得るよう構成される。前記検出片８８ｃは、可動体４５(第１可動部材４７)の初期位置(図４,図５参照)において検出手段９１で検出されて、該検出手段９１の検出信号の入力に基づいて駆動モータ８５を制御手段が停止制御することで、可動体４５(第１可動部材４７)を初期位置に停止保持し得るよう構成される。実施例では、駆動モータ８５の駆動によって回転作動体８８は、正面視において時計方向に回転することで第１可動部材４７および第２可動部材４８に異なる方向の動作を行わせ得るよう構成してある。実施例では、回転作動体８８の回転方向について、正面視における時計方向を正転方向と指称すると共に、反時計方向を逆転方向と指称する場合がある。
【００５５】
(作動部材８９について)
前記カバー部材５１の裏面には、前記駆動歯車８７の配設位置より上側に、後方に突出するように支持ボス５１ｄが設けられ、該支持ボス５１ｄの後端から後方に延出するように設けられた第１支軸(支軸部)９２が、前記作動部材８９の長手方向の一端部に設けた支持孔８９ａに回動自在に挿通されている。すなわち、作動部材８９は、長手方向の一端部が第１支軸９２を介してカバー部材５１に回動自在に枢支されて、該作動部材８９は、第１支軸９２を中心として長手方向の他端側(自由端側)が上下方向に揺動するよう構成される。なお、前記第１支軸９２における支持ボス５１ｄと作動部材８９との間に臨む部位に、一端がカバー部材５１に設けたバネ用係止部５１ｅ(図７参照)に係止されると共に他端が作動部材８９に設けたバネ用係止部８９ｂ(図６参照)に係止される付勢手段としてのねじりコイルバネ９３が巻かれており、該ねじりコイルバネ９３によって作動部材８９は、常には第１支軸９２による枢支部側(支軸部側)から離間する自由端部側が上方に向けて回転するように付勢される。
【００５６】
(ガイド部９５について)
前記作動部材８９の自由端部側には、前記第１可動部材４７に配設した前記第１軸体(第１係合部)７２が移動自在に挿通されるガイド用係合孔９４が前後方向に貫通して形成されている。このガイド用係合孔９４は、図４に示す如く、作動部材８９の後述する保持位置において、左右方向に延在する第１係合孔９４ａと、該第１係合孔９４ａの左端部側(自由端部側)に連通して上側に延在する第２係合孔９４ｂとから構成される。そして、実施例では、第１係合孔９４ａを画成する下側の壁が、前記第１軸体７２が摺動自在に係合するガイド部として機能するよう構成される。そこで、第１係合孔９４ａの下側の壁についてガイド部９５と指称するものとする。また、第１係合孔９４ａについて、作動部材８９の枢支部側の端部を基端部と指称すると共に、該基端部から離間する端部を自由端部と指称するものとする。
【００５７】
(ガイド部９５と第１軸体７２との関係について)
前記作動部材８９は、前記回転作動体８８に設けた切替用被係合部８８ｂが後述する係合溝９６を構成する上係合壁９６ｄに係合した保持位置(図４参照)と、該保持位置より自由端部側が下方に移動した第１下降位置(図１３参照)と、該第１下降位置より自由端部側が更に下方に移動した第２下降位置(図１７参照)との間を、前記第１支軸９２を中心として揺動するよう構成される。そして、作動部材８９の保持位置において、前記第１軸体７２が第１係合孔９４ａにおける基端部側のガイド部９５に鍔付きスリーブ７４を介して当接することで、前記可動体４５(第１可動部材４７)を初期位置に保持するようになっている。また、後述するように切替用被係合部８８ｂと上係合壁９６ｄとの係合状態が解除された場合は、可動体４５(第１可動部材４７)が自重によって落下するのに伴って第１軸体７２が鍔付きスリーブ７４を介してガイド部９５を摺動することで作動部材８９が傾動して、第１可動部材４７の規制突部６７が第２補強材７１を介して前記第２スライド体６４に設けた第２緩衝部材７０に当接して下方移動(落下)が規制されることで、該作動部材８９が第１下降位置に位置するよう構成される。そして、作動部材８９が切替用被係合部８８ｂと後述する作動壁９６ｅとの係合作用下に第１下降位置から更に下方に向けて押された際には、第１軸体７２(鍔付きスリーブ７４)が第１係合孔９４ａから第２係合孔９４ｂに入り込むことで、当該作動部材８９の傾動が許容されて第２下降位置に移動可能に構成される。
【００５８】
(切替用係合部９６ｄ,９６ｅについて)
前記作動部材８９は、前記回転作動体８８の後側を左右方向に延在しており、該作動部材８９における第１支軸９２での枢支部(支持部位)とガイド用係合孔(ガイド部９５)９４の形成位置との間で回転作動体８８の後側に臨む部位に、係合溝９６が後方に向けて凹設されている。この係合溝９６は、図４,図６に示す如く、作動部材８９の上端縁で開放すると共に、自由端側に向けて所定長さで延在するように形成される。そして、回転作動体８８に設けた前記切替用被係合部８８ｂが、該回転作動体８８の回転に伴って係合溝９６内を移動すると共に該係合溝９６から外部に離脱し得るよう構成される。
【００５９】
前記係合溝９６は、図４,図６に示す如く、左右方向に離間して作動部材８９の上端縁から下方に向けて延在する一対の開口形成壁９６ａ,９６ｂによって、上方に開放する開口部９６ｃが画成される。左側に位置する左開口形成壁９６ａの下端に、左方(自由端側)に向けて延在する上係合壁９６ｄが連設されると共に、右側に位置する右開口形成壁９６ｂの下端に、下側に向けて弧状に膨出する作動壁９６ｅが連設されている。また、作動壁９６ｅの左端に、上係合壁９６ｄと略平行に自由端側に延在する下壁９６ｆが連設されると共に、該下壁９６ｆおよび上係合壁９６ｄの左端が連結壁９６ｇによって連結されている。そして、図４に示す如く、係合溝９６内に臨む回転作動体８８の切替用被係合部８８ｂが、上係合壁９６ｄにおける左開口形成壁９６ａとの連設部に係合した状態で、作動部材８９は前記可動体４５(第１可動部材４７)を初期位置に保持する保持位置に保持されるようになっている。
【００６０】
前記回転作動体８８が正転方向に回転して切替用被係合部８８ｂが上係合壁９６ｄとの係合が解除される(係合状態から非係合状態に切り替わる)ことで、作動部材８９が第１支軸９２を中心として第１下降位置に向けて傾動して、切替用被係合部８８ｂが係合溝９６に対して開口部９６ｃから外方に離脱するよう構成されている(図１３参照)。そして、作動部材８９と共に初期位置から自重によって落下(下方移動)する可動体４５(第１可動部材４７)の落下(下方移動)が前記規制突部６７と第２緩衝部材７０とによって規制された第１可動部材４７の中間位置において、該作動部材８９が第１下降位置に保持されると共に、前記第１軸体７２(鍔付きスリーブ７４)が前記第１係合孔９４ａの自由端部側に位置して第２係合孔９４ｂに入り込むことができる状態となるよう構成される。
【００６１】
ここで、前記作動部材８９が第１下降位置に位置する状態で、図２０(ａ)に示す如く、前記作動壁９６ｅは、前記回転作動体８８の切替用被係合部８８ｂにおける径方向の最外部が移動する軌道Ｃより径方向の内側に位置するよう構成される。すなわち、第１下降位置に位置する作動部材８９に対し、正転方向に回転する回転作動体８８の切替用被係合部８８ｂが作動壁９６ｅに係合当接する(非係合状態から係合状態に切り替わる)と、該作動壁９６ｅを下方に押すようになり、これによって作動部材８９が第１下降位置から更に下方の第２下降位置まで傾動されるようになっている。そして、切替用被係合部８８ｂが作動壁９６ｅから離脱し、図１９に示す如く、該切替用被係合部８８ｂが上係合壁９６ｄの自由端部側に下方から係合当接する(係合状態が切り替わる)と、該切替用被係合部８８ｂの移動に伴って作動部材８９が上方に持ち上げられて、前記保持位置に至るよう構成される。実施例では、上係合壁９６ｄおよび作動壁９６ｅと、回転作動体８８に設けた切替用被係合部８８ｂとの係合作用下に作動部材８９を第１下降位置と第２下降位置との間を移動させると共に、該作動部材８９を第２下降位置から保持位置まで移動させるよう構成されており、該上係合壁９６ｄおよび作動壁９６ｅが切替用係合部として機能している。
【００６２】
また、実施例の可動演出装置４４では、前記上係合壁９６ｄに係合当接して作動部材８９を保持位置に保持している切替用被係合部８８ｂが回転作動体８８の正転方向の回転に伴って上係合壁９６ｄから係合解除されて開口部９６ｃから外方に離脱した後、該切替用被係合部８８ｂが前記作動壁９６ｅに係合当接する前に、前記可動体４５(第１可動部材４７)が初期位置から中間位置まで下方移動(落下)するよう構成されている。また、回転作動体８８の正転方向の回転によって前記作動壁９６ｅとの係合状態が解除された切替用被係合部８８ｂが上係合壁９６ｄに係合当接する前に、前記第２可動部材４８が第２姿勢から第１姿勢に復帰するように構成されている。すなわち、可動演出装置４４は、第１可動部材４７が初期位置から中間位置に移動した後に、第２可動部材４８が第１姿勢から第２姿勢に移動すると共に、該第２可動部材４８が第２姿勢から第１姿勢に移動した後に、第１可動部材４７が中間位置から初期位置に移動するよう構成されている。
【００６３】
ここで、実施例の可動演出装置４４では、前記作動部材８９が保持位置に保持されている状態から前記回転作動体８８を逆転方向に回転することで、該作動部材８９を回転作動体８８の逆転方向の回転に伴って第１下降位置および第２下降位置に移動(傾動)し得るよう構成されている。すなわち、前記回転作動体８８が逆転方向に回転して切替用被係合部８８ｂが反時計方向に移動(図４で右方に移動)すると、該切替用被係合部８８ｂに上側から上係合壁９６ｄが係合当接した状態で作動部材８９が第１支軸９２を中心として第１下降位置に向けて傾動すると共に、該作動部材８９に対してガイド部９５に第１軸体７２が支持されている前記可動体４５(第１可動部材４７)が下方移動し、作動部材８９が第１下降位置に至ると共に、可動体４５(第１可動部材４７)が中間位置に至るようになっている。そして、回転作動体８８の逆転方向の回転によって上係合壁９６ｄから下方に離間した切替用被係合部８８ｂが第１下降位置に位置する作動部材８９の下壁９６ｆに上側から係合当接することで、該下壁９６ｆを下方に押すようになり、これによって作動部材８９が第１下降位置から更に下方の第２下降位置まで傾動される。また、引き続き逆転方向に回転する回転作動体８８の切替用被係合部８８ｂが前記作動壁９６ｅに係合当接している間は、該作動部材８９を第２下降位置に保持し得るようになっている。そして、作動部材８９が第２下降位置まで傾動した後に、前記制御手段の制御下に前記駆動モータ８５を逆転駆動することで、回転作動体８８を正転方向に回転して作動部材８９を保持位置に戻すと共に、可動体４５を初期位置に戻すように構成される。すなわち、実施例の可動演出装置４４では、回転作動体８８の正転方向の回転では、可動体４５(第１可動部材４７)を自重によって勢いよく中間位置に落下させた後に、前記第２可動部材４８を移動(動作)させ得ると共に、回転作動体８８の逆転方向の回転では、可動体４５(第１可動部材４７)を該回転作動体８８の回転速度に応じた速度でゆっくり中間位置に下方移動させた後に、前記第２可動部材４８を移動(動作)させ得るように構成されている。
【００６４】
また、前記回転作動体８８が正転方向に回転する場合に切替用被係合部８８ｂが係合当接する作動壁９６ｅが弧状に形成される一方で、回転作動体８８が逆転方向に回転する場合に切替用被係合部８８ｂが係合当接する下壁９６ｆは斜面状に形成されており、該作動壁９６ｅに対して正転方向から切替用被係合部８８ｂが係合当接した場合に第２可動部材４８が動作する速度と、該下壁９６ｆに対して逆転方向から切替用被係合部８８ｂが係合当接した場合に第２可動部材４８が動作する速度とが異なるように構成されている。すなわち、駆動モータ８５の正転および逆転での回転速度が同じに設定されているもとで、作動壁９６ｅに対して正転方向から切替用被係合部８８ｂが係合当接した場合に第２可動部材４８が動作する速度は、下壁９６ｆに対して逆転方向から切替用被係合部８８ｂが係合当接した場合に第２可動部材４８が動作する速度より遅くなるようになっている。実施例では、前記駆動モータ８５としてステッピングモータが採用されており、回転作動体８８を逆転方向に回転させた場合は、駆動モータ８５の逆転駆動によって保持位置から傾動を開始した作動部材８９が第２下降位置まで傾動したことを移動パルス信号により監視し、該移動パルス信号に基づいて駆動モータ８５を制御手段で制御して正転駆動することで、該回転作動体８８を正転方向に回転させ得るよう構成されている。なお、回転作動体８８の逆転方向の回転によって保持位置から第２下降位置まで傾動したことを検出可能な第２の検出手段を設け、該第２の検出手段の検出信号によって駆動モータ８５の回転駆動方向を切り替えるようにしてもよい。
【００６５】
(第２可動部材４８の作動構造について)
前記第１可動部材４７の内部に、前記第２可動部材４８に連繋する連繋部材９７が、基体５３に設けられた軸支持ボス５３ｂに配設されて前記第１支軸７２と平行な第２支軸９８を介して回動自在に支持されている。この連繋部材９７は、図１０,図１１,図２１に示す如く、第２支軸９８に回転自在に支持された支持部９９と、該支持部９９から径方向に延出する第１アーム部１００と、支持部９９から第１アーム部１００の延出方向とは異なる方向に延出する第２アーム部１０１とを備える。第１アーム部１００には、前記第２可動部材４８に設けた作動片８２ａに連繋する連繋部１００ａが設けられると共に、第２アーム部１０１の延出端部には、後方に向けて第２係合部としての第２軸体１０１ａが突設されている。この第２軸体１０１ａは、前記基体５３に設けられて前後方向に貫通する挿通孔５３ａから後方に突出している(図１３参照)。なお、基体５３の挿通孔５３ａは、第２支軸９８を中心として連繋部材９７が揺動する際に、第２軸体１０１ａが干渉しない大きさで開口している。
【００６６】
前記作動部材８９には、図４に示す如く、前記第１係合孔９４ａの下側に、前記連繋部材９７の第２軸体１０１ａに係合可能な作動部８９ｃが設けられている。この作動部８９ｃは、図２０に示す如く、作動部材８９が第１下降位置と第２下降位置との間を移動する際に、第２軸体１０１ａに係合するよう構成されており、作動部材８９が第１下降位置から第２下降位置に傾動する場合に、作動部８９ｃが第２軸体１０１ａに係合することで、連繋部材９７が第２支軸９８を中心として傾動し、前記連繋部１００ａを介して連繋する作動片８２ａを上方に押し上げることで、図２１に示す如く、第２可動部材４８を第１姿勢から第２姿勢に移動(傾動)するよう構成される。
【００６７】
前記支持部９９から前側に突出する前記第２支軸９８に、一端が前記基体５３に設けたバネ用係止部５３ｃに係止されると共に他端が連繋部材９７に設けたバネ用係止部９７ａに係止される付勢手段としてのねじりコイルバネ１０２が巻かれており(図１０参照)、該ねじりコイルバネ１０２によって連繋部材９７は、連繋部１００ａを介して連繋する作動片８２ａを常には下向き(第２可動部材４８を第１姿勢とする向き)に回転付勢されるようになっている。すなわち、前記作動部材８９が第２下降位置から第１下降位置に移動する際には、ねじりコイルバネ１０２の付勢力によって連繋部材９７が傾動するのに伴って連繋部１００ａが連繋する作動部８２ａを引き下げることで、第２可動部材４８が第２姿勢から第１姿勢に戻る(移動する)よう構成されている。
【００６８】
(実施例の作用)
次に、前述のように構成された実施例に係るパチンコ機１０の作用につき説明する。
【００６９】
前記前枠１３の前面側に設けられた前記操作ハンドル１６の操作レバー１６ａを遊技者が回転操作すると、前記打球発射装置から発射されたパチンコ球が前記遊技盤２０に設けた遊技領域２４内に打ち出される。このとき、前記操作レバー１６ａの回動量に応じてパチンコ球の打ち出し位置が変化し、打ち出し位置に応じて遊技領域２４の異なる経路をパチンコ球が流下する。遊技領域２４を流下するパチンコ球が第１始動入賞口２９ａまたは第２始動入賞口３３ａに入賞すると、前記制御手段の制御に基づいて前記表示装置１７での図柄変動演出が開始され、図柄変動演出の結果、表示装置１７に所定の図柄組み合わせが表示されると大当りが発生する。大当りが発生すると、表示装置１７に表示された図柄組み合わせに応じて、前記遊技盤２０に設けられた特別入賞装置３４が開放されると共に、前記制御手段の制御に基づいて表示装置１７において大当り演出が行われる。
【００７０】
前記パチンコ機１０では、前記表示装置１７で行われる図柄変動演出や大当り演出に応じて、前記発光演出装置４２の発光体が発光されたり点滅され、前記枠状装飾体２６の窓口２６ａの外周において行われる装飾部品４１を明輝させる発光演出により遊技の興趣が向上される。また、前記装飾可動体４３および可動演出装置４４の可動体４５が動作されると共に、該装飾可動体４３や可動体４５に内蔵の発光体が発光されたり点滅される発光演出によっても遊技の興趣が向上される。
【００７１】
(可動演出装置４４の動作演出について)
前記可動演出装置４４の可動体４５が初期位置に位置する状態において、図４に示す如く、前記回転作動体８８の切替用被係合部８８ｂに対し、前記作動部材８９の上係合壁９６ｄにおける左開口形成壁９６ａとの連設部が上方から係合当接することで、作動部材８９は保持位置に保持される。また、前記可動体４５は、第１可動部材４７に設けた第１軸体７２が、作動部材８９の第１係合孔９４ａを画成するガイド部９５に鍔付きスリーブ７４を介して上側から係合当接することで、該可動体４５(第１可動部材４７)は初期位置に保持される。このとき、前記連繋部材９７は、ねじりコイルバネ１０２によって第２可動部材４８を第１姿勢に保持する方向に付勢されており(図５,図２１(ａ)参照)、該第２可動部材４８は自由端部を上向きとした第１姿勢に保持される。そして、可動体４５が初期位置に位置する状態では、図５に示す如く、前記装飾部品４１や第１位置の装飾可動体４３の裏側に可動体４５の全体が隠れて前側から視認できないようになっている。
【００７２】
前記制御手段からの制御信号によって前記駆動モータ８５が駆動され、前記駆動歯車８７、従動歯車９０および歯車部８８ａを介して連繋された前記回転作動体８８が正転方向に回転すると、前記上係合壁９６ｄに係合当接していた切替用被係合部８８ｂが開口部側に移動することで、該上係合壁９６ｄと切替用被係合部８８ｂとの係合状態が解除される(非係合状態となる)。これにより、前記作動部材８９が第１支軸９２を中心として第１下降位置に向けて傾動すると共に、該作動部材８９の自由端部側でガイド部９５に第１軸体７２が係合当接している前記可動体４５(第１可動部材４７)も初期位置から中間位置へ自重により落下する。また、作動部材８９が保持位置から第１下降位置に傾動することで、図１３に示す如く、前記切替用被係合部８８ｂは係合溝９６から開口部９６ｃを介して外方に離脱する。
【００７３】
前記可動体４５が落下する様態を具体的に説明する。該可動体４５が初期位置から下方移動(落下)を開始すると、前記第１ガイド手段５９および第２ガイド手段６３は、前記装置本体４９に対して第１スライド体６２および第２スライド体６４が可動体４５と一体的に下方移動する。第１スライド体６２が第１固定レール６０に設けた第１ストッパに当接すると共に、第２スライド体６４の延出部６４ｃ,６４ｃが第１補強材６８,６８を介して装置本体４９(カバー部材５１)に設けた前記第１緩衝部材６９,６９に当接して両スライド体６２,６４の下方移動が規制された後は、該スライド体６２,６４に対して可動体４５のみが下方移動する。そして、第１スライド体６２に設けた第２ストッパに第２固定レール６１が当接すると共に、前記第１可動部材４７の基体５３に設けた規制突部６７が第２補強材７１を介して第２スライド体６４に設けた前記第２緩衝部材７０に当接することで、該可動体４５の下方移動が規制されて、図１２に示す如く、可動体４５が前記枠状装飾体２６の窓口２６ａから前側に露出する。
【００７４】
前記可動体４５は、前記装飾部品４１の裏側に隠れた初期位置から中間位置まで自重によって落下するので、可動体４５が勢いよく落下するインパクトのある演出によって遊技の興趣を向上することができる。また、前記第２可動部材４８が第１姿勢に保持されている状態では、前記第１可動部材４７の意匠体５４に設けた中央意匠部５４ａは該第２可動部材４８で部分的に隠されており、該中央意匠部５４ａに何が表示されているかは認識できない。すなわち、中央意匠部５４ａに表示されている意匠に対する遊技者の関心を高めることができ、遊技の興趣を向上し得る。また、可動体４５の落下に際し、図１４に示す如く、前記第２スライド体６４の延出部６４ｃ,６４ｃが装置本体４９の第１緩衝部材６９,６９に当接すると共に、可動体４５(第１可動部材４７)の規制突部６７が第２スライド体６４の第２緩衝部材７０に当接するので、可動体４５が落下した際に加わる衝撃を軽減することができ、勢いのある動作演出を行いつつ可動体４５が損傷等するのを防ぐことができる。更に、実施例では、前記延出部６４ｃ,６４ｃおよび規制突部６７を補強材６８,６８,７１で補強しているので、装置本体４９に対して可動体４５を移動自在に支持する部分の耐久性を向上し得る。
【００７５】
前記作動部材８９が第１下降位置に保持されている状態で、前記回転作動体８８の正転方向の回転によって前記切替用被係合部８８ｂが移動すると、該切替用被係合部８８ｂは前記係合溝９６に対して開口部９６ｃから進入する。そして、回転作動体８８が更に正転方向に回転することで、図１７,図２０(ｂ)に示す如く、切替用被係合部８８ｂが係合溝９６を画成する前記作動壁９６ｅに係合当接すると、該作動壁９６ｅが下方に押し下げられる。このとき、可動体４５(第１可動部材４７)の第１軸体７２が、作動部材８９の第１係合孔９４ａから第２係合孔９４ｂに入り込むことで、可動体４５(第１可動部材４７)を中間位置に保持したまま、作動部材８９の第１下降位置から第２下降位置への傾動が許容される。
【００７６】
前記作動部材８９が第１下降位置から第２下降位置に傾動すると、図１７,図２０(ｂ)に示す如く、前記作動部８９ｃが前記連繋部材９７の第２軸体１０１ａに係合して該連繋部材９７を第２支軸９８を中心として傾動させる。これにより、連繋部材９７に連繋部１００ａおよび作動片８２ａを介して連繋する前記第２可動部材４８が第１姿勢から第２姿勢に移動する。すなわち、図１５および図１６に示す如く、前記枠状装飾体２６の窓口２６ａに臨んでいる第１可動部材４７に対して第２可動部材４８が前方に傾動する動作を行う。そして、第２可動部材４８が第２姿勢となることで、前記中央意匠部５４ａの全体が前側に露出するので、該中央意匠部５４ａに表示されている意匠が露出する演出と、第２可動部材４８の動作演出とによって遊技の興趣を向上することができる。
【００７７】
前記回転作動体８８の正転方向の回転によって前記切替用被係合部８８ｂが前記作動壁９６ｅから離間移動すると、前記作動部材８９は前記ねじりコイルバネ９３の付勢力によって第２下降位置から第１下降位置に向けて傾動する。これにより、前記可動体４５(第１可動部材４７)の第１軸体７２が、作動部材８９の第２係合孔９４ｂから第１係合孔９４ａに入り込むと共に、前記連繋部材９７がねじりコイルバネ１０２の付勢力によって連繋部１００ａに連繋する作動片８２ａを押し下げる方向に傾動し、第２可動部材４８は第２姿勢から第１姿勢に復帰する。そして、図１９に示す如く、回転作動体８８の正転方向の回転によって前記切替用被係合部８８ｂが前記上係合壁９６ｄに下側から係合当接すると、切替用被係合部８８ｂの移動(回転作動体８８の回転)に伴って上係合壁９６ｄが押し上げられることで、作動部材８９が保持位置に向けて傾動する。すなわち、作動部材８９の傾動に伴って前記第１係合孔９４ａを画成するガイド部９５が可動体４５(第１可動部材４７)の第１軸体７２を押し上げる(案内する)ことで、該可動体４５(第１可動部材４７)は中間位置から初期位置に向けて持ち上げられる。なお、前記作動壁９６ｅに対する係合状態が解除された切替用被係合部８８ｂが上係合壁９６ｄに係合当接する前に、前記第２可動部材４８は第１姿勢に復帰するように構成されているので、第２可動部材４８が第１姿勢に復帰する前に可動体４５(第１可動部材４７)が中間位置から上方移動を開始してしまうことはなく、第２可動部材４８が前記第１位置の装飾可動体４３と接触干渉して可動体４５(第１可動部材４７)の上方移動が阻害されるのは防止される。
【００７８】
前記可動体４５(第１可動部材４７)が中間位置から上方移動を開始すると、前記第１ガイド手段５９および第２ガイド手段６３では、前記第１スライド体６２および第２スライド体６４に対して可動体４５(第１可動部材４７)が単独で移動し、初期位置に至る前に第１スライド体６２に設けた当接部に第２固定レール６１が下方から当接すると共に、第２スライド体６４に設けた第２ガイドボス６７ａが第２ガイド孔６４ｂの上端を画成する壁に下方から当接することで、両スライド体６２,６４と一体的に可動体４５(第１可動部材４７)が上方移動する。そして、前記回転作動体８８に設けた検出片８８ｃが前記検出手段９１で検出され、該検出手段９１からの検出信号に基づいて前記制御手段が駆動モータ８５を停止制御することで、可動体４５(第１可動部材４７)は初期位置に保持される(図４参照)。
【００７９】
また、前記作動部材８９が保持位置に保持されている状態(可動体４５が初期位置に保持されている状態)で、前記制御手段の制御下に駆動された前記駆動モータ８５によって前記回転作動体８８が逆転方向に回転されると、前記切替用被係合部８８ｂに上係合壁９６ｄが上側から係合当接した状態を保ったまま作動部材８９が第１支軸９２を中心として第１下降位置に向けて傾動する。また、作動部材８９に対してガイド部９５に第１軸体７２が支持されている前記可動体４５(第１可動部材４７)は、作動部材８９の傾動に伴ってゆっくりと下方移動し、前記第１ガイド手段５９および第２ガイド手段６３において第２ストッパおよび第２緩衝部材７０によって可動体４５(第１可動部材４７)が中間位置に停止保持されることで、作動部材８９が第１下降位置に停止保持される。そして、回転作動体８８が引き続き逆転方向に回転することによって上係合壁９６ｄから下方に離間した切替用被係合部８８ｂが第１下降位置に位置する作動部材８９の下壁９６ｆに上側から係合当接することで、該下壁９６ｆが下方に押し下げられて、前述したように作動部材８９が第２下降位置に傾動することで前記第２可動部材４８が第１姿勢から第２姿勢に移動する。なお、回転作動体８８が逆転方向に回転された場合においても、作動部材８９の第１下降位置と第２下降位置との間の傾動は、前記第１軸体７２が第１係合孔９４ａと第２係合孔９４ｂとの間を相対的に移動することで許容される。
【００８０】
また、前記回転作動体８８の逆転方向の回転によって、作動部材８９が第２下降位置まで傾動した後に、前記制御手段の制御下に前記駆動モータ８５を逆転駆動することで、回転作動体８８を正転方向に回転することで、前述したように前記切替用被係合部８８ｂが前記上係合壁９６ｄに下側から係合当接して作動部材８９が保持位置に向けて傾動されると共に、前記可動体４５(第１可動部材４７)が初期位置に向けて持ち上げられる。
【００８１】
実施例のパチンコ機１０では、１基の駆動モータ８５によって第１可動部材４７を上下方向に往復移動すると共に、該第１可動部材４７に配設した第２可動部材４８を、第１可動部材４７の移動面に対して交差する前後方向に移動するよう構成したので、両可動部材４７,４８にインパクトのある立体的に動作演出を行わせて興趣を向上することができる。また、第１可動部材４７の移動と、第２可動部材４８の移動とを同時に行わないよう構成してある。すなわち、第１可動部材４７の移動が停止した状態で、第２可動部材４８が移動すると共に、第２可動部材４８の移動が停止した状態で第１可動部材４７が移動するよう構成したので、メリハリのある動作演出ができ、興趣を向上し得る。しかも、第１可動部材４７が上下方向に移動する間は、第２可動部材４８が第１姿勢と第２姿勢との間を移動しないので、当該可動演出装置４４の周囲に配設される他の遊技部品に第２可動部材４８が干渉して動作が妨げられるのを防ぐことができる。
【００８２】
実施例の作動機構８６は、１つの作動部材８９を揺動することで第１可動部材４７および第２可動部材４８を動作するよう構成してあるので、作動機構８６の構成は簡単であり、製造コストを低廉に抑えることができる。また、作動部材８９における枢支部と可動体４５(第１可動部材４７)の第１軸体７２と係合するガイド部９５との間に上係合壁９６ｄを設けたので、前記回転作動体８８の切替用被係合部８８ｂと上係合壁９６ｄとの係合作用下に作動部材８９および可動体４５(第１可動部材４７)を持ち上げる際に駆動モータ８５に加わる負荷を小さくすることができる。
【００８３】
また、実施例のパチンコ機１０では、前記作動部材８９の保持位置(可動体４５の初期位置)において前記回転作動体８８を正転方向に回転すれば、可動体４５(第１可動部材４７)を自重によって勢いよく中間位置に落下させた後に、前記第２可動部材４８を移動(動作)させることができると共に、該回転作動体８８を逆転方向に回転すれば、可動体４５(第１可動部材４７)を該回転作動体８８の回転速度に応じた速度(制御された速度)でゆっくり中間位置に下方移動させた後に、前記第２可動部材４８を移動(動作)させることができる。すなわち、１つの駆動機構４６を用いて可動体４５を異なる速度で移動させ得るので、コストを掛けることなく動作演出の幅を広げることができ、興趣の向上に寄与し得る。しかも、駆動モータ８５自体の回転速度を可変するものではないので、駆動モータ８５に係る制御負荷が増大することもない。また、前記作動壁９６ｅに対して正転方向から切替用被係合部８８ｂが係合当接した場合に第２可動部材４８が動作する速度が、前記下壁９６ｆに対して逆転方向から切替用被係合部８８ｂが係合当接した場合に第２可動部材４８が動作する速度より遅くなるよう構成されているので、第２可動部材４８の動作態様に変化を与えて興趣を向上することができる。すなわち、回転作動体８８が正転方向に回転する場合は、可動体４５(第１可動部材４７)が勢いよく(速く)落下するのに対して第２可動部材４８の動作速度は遅く、回転作動体８８が逆転方向に回転する場合は、可動体４５(第１可動部材４７)がゆっくり下方移動するのに対して第２可動部材４８の動作速度は速くなっているので、第１可動部材４７および第２可動部材４８が動作する速度の違いによって興趣のある演出ができる。
【００８４】
実施例のパチンコ機１０では、前記第１可動部材４７が遊技盤２０の盤面に沿って落下した後に、該第１可動部材４７の前側に配設されている第２可動部材４８が立った姿勢から前側に倒れるように移動するので(図１６,図１８参照)、該第２可動部材４８が前方に飛び出す動作によって遊技者に対してよりインパクトを与えることができ、興趣をより向上し得る。また、第１可動部材４７に配設した第２可動部材４８を第２姿勢に移動した状態で、該第１可動部材４７に配設した特定発光体５５ｂが第２可動部材４８に配設した導光体８３の後端に対向するよう構成してあるので(図１８参照)、該特定発光体５５ｂからの光を導光体８３によって第２可動部材４８の前側に位置する発光部８４を効果的に明輝させることができ、インパクトのある発光演出を行い得る。第１可動部材４７に対して動作可能に配設された第２可動部材４８には発光体等の電気部品が配設されていないので、配線処理を不要として構造を簡単化することができる。
【００８５】
また、実施例のパチンコ機１０では、図５に示す如く、前記可動体４５の初期位置において第２可動部材４８は第１可動部材４７の前面に略沿う立った姿勢となっているので、前記装飾可動体４３の後方に可動体４５を収容するために必要となる前後方向のスペースを小さく抑えることができる。すなわち、第１可動部材４７と第２可動部材４８とで立体的でインパクトのある動作を行わせる構成においても、可動体４５の収容時(初期位置)に必要となるスペースを小さくでき、パチンコ機１０の前後寸法の縮小化に寄与し得る。
【００８６】
(変更例)
本願は前述した実施例の構成に限定されるものではなく、その他の構成を適宜に採用することができる。
(1) 実施例では、枠状装飾体における窓口の上縁側の初期位置から可動体が窓口の中央部側の中間位置に向けて移動(落下)するよう構成したが、該窓口の下縁側または左右両側縁側の初期位置から可動体が窓口の中央部側の中間位置に向けて迫り出すようにしてもよい。
(2) 実施例では、第１可動部材を平行移動するよう構成したが、該第１可動部材を前後方向に延在する軸回りに回転可能に構成し、該第１可動部材に、第１可動部材が初期位置と中間位置との間を揺動する際の移動面と交差する方向に移動可能に第２可動部材を配設する構成を採用し得る。
(3) 実施例では、第１可動部材に設けた第１軸体(第１係合部)に外嵌した鍔付きスリーブを介して該第１軸体(第１係合部)が作動部材のガイド部に係合するよう構成したが、該第１軸体(第１係合部)を直接ガイド部に係合する構成を採用し得る。
(4) 実施例では、第１可動部材に設けた第１軸体(第１係合部)が係合する作動部材のガイド部として、該作動部材に形成したガイド用係合孔を画成する壁を挙げたが、該ガイド部は孔を画成する壁である必要はなく、作動部材の後方に突出する突壁をガイド部として、該ガイド部に第１可動部材に設けた第１軸体(第１係合部)を係合させて、作動部材の移動に伴ってガイド部に第１軸体(第１係合部)を介して係合する第１可動部材(可動体)を動作させる構成を採用し得る。
(5) 実施例では、回転作動体に設けた切替用被係合部(切替手段)の係合状態が切り替わる切替用係合部として、作動部材に設けた係合溝を画成する壁(上係合壁,作動壁)を挙げたが、該切替用係合部は溝を画成する壁である必要はなく、作動部材の後方に突出する突壁を切替用係合部として、該切替用係合部を切替用被係合部(切替手段)が移動する軌道上に配置することで、切替用係合部と切替用被係合部(切替手段)との係合状態で作動部材を保持位置に保持したり、該作動部材の第１下降位置と第２下降位置との間の移動および第１下降位置から保持位置への移動を行わせる構成を採用し得る。
【００８７】
(6) 実施例では、第２可動部材とは別体の連繋部材に設けた第２軸体(第２係合部)に作動部材の作動部を係合することで第２可動部材を動作させるよう構成したが、第２可動部材に一体に設けた第２係合部に作動部材の作動部を係合して該第２可動部材を動作させる構成を採用し得る。
(7) 実施例では、回転作動体を一定方向に回転することで第１可動部材および第２可動部材を動作させるよう構成したが、切替用被係合部が係合溝から離脱した後(作動部材が第１下降位置に移動した後)に、回転作動体を逆転方向に回転して切替用被係合部を作動部材の上側の壁に外方から係合当接して該作動部材を第１下降位置から第２下降位置に移動させることができる。
(8) 遊技機としては、パチンコ機に限られるものではなく、アレンジボール機やパチンコ球やコインを用いたスロットマシン等、その他各種の遊技機であってもよい。
【符号の説明】
【００８８】
２０ 遊技盤
２４ 遊技領域
４４ 可動演出装置
４５ 可動体
４７ 第１可動部材
４８ 第２可動部材
７２ 第１軸体(第１係合部)
８５ 駆動モータ(駆動手段)
８６ 作動機構
８８ 切替用被係合部(切替手段)
８９ 作動部材
８９ｃ 作動部
９２ 第１支軸(支軸部)
９５ ガイド部
９６ｄ 上係合壁(切替用係合部)
９６ｅ 作動壁(切替用係合部)
１０１ａ 第２軸体(第２係合部)
【図１】
2015173911.tif 000003
【図２】
2015173911.tif 000004
【図３】
2015173911.tif 000005
【図４】
2015173911.tif 000006
【図５】
2015173911.tif 000007
【図６】
2015173911.tif 000008
【図７】
2015173911.tif 000009
【図８】
2015173911.tif 000010
【図９】
2015173911.tif 000011
【図１０】
2015173911.tif 000012
【図１１】
2015173911.tif 000013
【図１２】
2015173911.tif 000014
【図１３】
2015173911.tif 000015
【図１４】
2015173911.tif 000016
【図１５】
2015173911.tif 000017
【図１６】
2015173911.tif 000018
【図１７】
2015173911.tif 000019
【図１８】
2015173911.tif 000020
【図１９】
2015173911.tif 000021
【図２０】
2015173911.tif 000022
【図２１】
2015173911.tif 000023